(57)【特許請求の範囲】
【請求項１】
胴部２より縮径した口頸部４を起立した容器体Ａと、口頸部４を閉塞して一端部を突出した状態で容器体Ａに装着した収納液を浸透移送する棒体Ｂと、中央の基部D1からその周囲に螺旋状の枝部D2を延設し、棒体Ｂ端面に当接した状態で容器体Ａに基部D1を固定した板状の揮散体Ｄと、枝部D2の末端部に固定して移動及び係止が可能に支持した操作体Ｅとを備え、操作体Ｅの移動及び係止により揮散体Ｄを変形する如く構成したことを特徴とする揮散用容器。
【請求項２】
前記操作体Ｅを三箇所以上の多段階位置で係止可能に構成してなる請求項１に記載の揮散用容器。
【請求項３】
前記操作体Ｅが、上下垂直方向に移動する如く構成してなる請求項１又は請求項２のいずれかに記載の揮散用容器。
【請求項４】
胴部２より縮径した口頸部４を起立した容器体Ａと、口頸部４を閉塞して一端部を突出した状態で容器体Ａに装着した収納液を浸透移送する棒体Ｂと、容器体Ａを倒立状態で支持する台座Ｃと、中央の基部D1からその周囲に螺旋状の枝部D2を延設するとともに、棒体Ｂ端面に当接した状態で容器体Ａ下方に基部D1を固定した板状の揮散体Ｄと、枝部D2の末端部に固定して上方への引き上げ及び係止が可能に支持した操作体Ｅとを備え、操作体Ｅの引き上げ係止により揮散体Ｄが変形する如く構成してなることを特徴とする揮散用容器。
【請求項５】
前記台座Ｃが、容器体胴部２に上端を嵌着固定した周壁11を皿状の底板10周縁部より立設するとともに、周壁11に揮散窓16を備え、且つ、周壁11に案内溝13を縦設してなり、前記底板10と棒体Ｂとの間に基部D1を挟持固定して揮散体Ｄを装着するとともに、案内溝13に抜け出しを防止して引き上げ可能に、且つ、複数位置での係止が可能に前記操作体Ｅを装着してなる請求項４に記載の揮散用容器。
【請求項６】
胴部２より縮径した口頸部４を起立した容器体Ａと、口頸部４を閉塞して一端部を突出した状態で容器体Ａに装着した収納液を浸透移送する棒体Ｂと、中央の基部D1からその周囲に螺旋状の枝部D2を延設するとともに、棒体Ｂ端面に当接した状態で容器体Ａ上方に基部D1を固定した板状の揮散体Ｄと、揮散体Ｄの枝部D2の末端部に一端部を固定して下方への引き下げ及び係止が可能に支持した操作体Ｅとを備え、操作体Ｅの引き下げ係止により揮散体Ｄが変形する如く構成したことを特徴とする揮散用容器。
【請求項７】
容器体Ａの胴部２に下端を嵌着固定した周壁30上に頂壁32を延設するとともに、周壁30に案内溝13を縦設し、且つ、揮散窓16を備えたカバーキャップＦを設け、前記頂壁32と前記棒体Ｂとの間に基部D1を挟持固定して揮散体Ｄを装着するとともに、案内溝13に抜け出しを防止して上下動可能に、且つ、複数位置での係止が可能に前記操作体Ｅを装着してなる請求項６記載の揮散用容器。
【発明の詳細な説明】
【技術分野】
【０００１】
本発明は揮散用容器に関し、詳しくは、芳香剤や消臭剤等の揮散性液を収納して周囲雰囲気中に揮散させる揮散用容器に関する。
【背景技術】
【０００２】
揮散用容器として、液体芳香剤を収納する液体芳香剤収納容器が提案されている。（例えば、特許文献１参照）。
【０００３】
上記容器は、シート成形によって作成されたカップの底部相当部に揮散用の孔設部を設けた透明又は半透明の芳香剤カップ容器に、液体芳香剤を充填した後カップ容器の天面と底面を密封シールで封止して、カップ容器の天面部にオーバーキャップと底面部の周縁に設けたフランジと嵌合する台座を備えている。また、底部相当部の孔設部に樹脂繊維等からなる揮散紙を備えており、この揮散紙はカップ容器の底部に相当する天面部の孔設部周縁で、且つ天面の密封シールの真下に設けられたアンダーカットに挟みこまれることによって、カップ内に固定されている。
【特許文献１】特開２００３−２０５９８６号公報
【発明の開示】
【発明が解決しようとする課題】
【０００４】
上記容器は、密封シール直下に揮散紙がセットされており、その揮散紙が内容液で浸潤されているため、天面の密封シールを剥がすだけで使用を開始することができ、使用済みになった場合はオーバーキャップと台座からこのカップ容器を外し、内容液の充填された予備のカップ容器と簡単に入れ換えることができるという特有の効果を発揮する。
【０００５】
しかしながら上記容器では、揮散紙は天面部に載置された平板状をなすため、揮散紙の露出は上面及び周面のみとなる。揮散量は揮散紙の表面積に比例して多くなる傾向があるため、充分な揮散量を得るためにはカップ容器の大きさをより大きなものとしなければならない。また、オーバーキャップの通気孔も一定の開口面積をもったものであり、揮散量が常時一定化される。
【０００６】
本発明は上記した点に鑑みてなされたもので、揮散体の表面積をできるだけ有効に使用することにより、効率の良い揮散をおこなえるとともに、必要に応じて揮散量を調整でき、また、全体的にコンパクトに形成できるとともに、その取り扱い操作も簡単な優れた揮散用容器を提案する。
【課題を解決するための手段】
【０００７】
本発明の揮散用容器は、容器体と、揮散体と、棒体とを備えている。容器体は揮散用液を収納するためのもので、その形態は胴部より肩部を介して口頸部を起立したボトルタイプのものが好ましく採用できる。その材質も合成樹脂が好ましく使用できるが特に限定されず、ガラス等他の材質であってもかまわないが、収納液が揮散液であることを考慮すれば、出来るだけガスバリアー性に富んだ材質を採用することが好ましい。この様な材質としては、前記ガラスの他、ポリエチレンテレフタレート，ポリアミド，ポリアクリロニトリル，ポリ塩化ビニリデン共重合体等の合成樹脂、或いは合成樹脂と金属層との積層構造等が挙げられるがこれに限らない。また、容器体内に収納する揮散用液としては、芳香剤，消臭剤等が挙げられるが特に限定されない。
【０００８】
容器体は正立状体で使用する場合と、倒立状態で使用する場合があり、倒立状態で使用する場合にはその状態を維持するための台座等の起立維持のための補助部材を必要とする。また、容器体の口頸部には棒体を支持するための注出口部材を嵌着しても良い。この注出口部材の存在で口頸部の径より小さい径の棒体を支持固定することができる。
【０００９】
揮散体は、棒体を介して浸透移送された容器体内の揮散液を表面から揮散するためのもので、液の浸透性が良い材質で形成する。例えば、紙，合成樹脂発泡体，不織布，織布等が挙げられる。揮散体は板状をなし、中央の基部及び該基部に連設した螺旋状の枝部とで構成されている。また、基部と枝部間及び枝部相互間はスリット状に当接した状態が好ましいが、幅の狭い隙間があっても良い。そして容器体口頸部より突出した棒体の先端面に当接した状態で基部を容器体に固定し、もって揮散体を容器体上方に装着する。容器体が倒立状態の場合には容器体下方に装着する。
【００１０】
正立状態の容器体に揮散体を装着する場合にはカバーキャップ形態の補助部材を用いると良く、倒立状態の容器体を使用する場合には台座形態の補助部材を用いると良い。カバーキャップと棒体との間或いは台座と棒体との間に揮散体の基部を挟持固定することにより装着する。前者の例としては、容器体の胴部上端外周部に下端部を嵌着した支持柱或いは周壁の上端部に頂壁を延設したものが挙げられ、また、後者の例としては、倒立した容器体の胴部に上端部を嵌着した支持柱或いは周壁の下端部に皿状の底板を延設した形態のものが挙げられる。そして、頂壁や底板と棒体端面とで揮散体の基部を挟持固定する。
【００１１】
揮散体の枝部の末端部分に一端部を固定して上下方向の移動が可能に支持した操作体を設けている。操作体は種々の形態が採用できるが、例えば、枝部の末端部に嵌着する固定部から外方へ連結部を介して指掛け部を突設した形態のものが挙げられる。そして、カバーキャップ或いは台座の支持柱や周壁に案内溝を設けて、操作体の連結部を案内溝に上下動可能に挿通させるとともに、指掛け部を支持柱或いは周壁外方に突出し、案内溝に沿って操作体が上下動できる如く構成する。また、連結部と案内溝に係止手段を設けて操作体が所定位置で係止できる様に構成する。係止手段としては、連結部と案内溝の所定位置に互いに係合する突部と凹部を設けたり、互いに乗り越え可能に係合する突部と突部とを設ける。係止手段の位置及び数は適宜選択でき、揮散体が未変形状態と変形状態との二つの状態を現出する二箇所に於いて係止させる如く構成しても、或いは二つの相違する変形状態を現出する三箇所に於いて係止させる如く構成しても、それ以上であっても良い。
【００１２】
棒体は容器体内の揮散液を毛細管現象により揮散体に浸透移送するもので、従って、その材質も揮散体と同様のものが使用できる。棒体の容器体への装着は、前記した注出口部材に棒体の上部を嵌着して支持したり、直接容器体の口頸部に棒体の上部を嵌着して支持することができる。また、揮散体に当接して挟持する程度の剛性を必要とし、容器体正立状態で使用する場合には下端が容器体内底部まで垂下する長さを必要とする。倒立状態で容器体を使用する場合には、口頸部と外部とを連通できる程度の長で良い。
【００１３】
第１の手段として、胴部２より縮径した口頸部４を起立した容器体Ａと、口頸部４を閉塞して一端部を突出した状態で容器体Ａに装着した収納液を浸透移送する棒体Ｂと、中央の基部D1からその周囲に螺旋状の枝部D2を延設し、棒体Ｂ端面に当接した状態で容器体Ａに基部D1を固定した板状の揮散体Ｄと、枝部D2の末端部に固定して移動及び係止が可能に支持した操作体Ｅとを備え、操作体Ｅの移動及び係止により揮散体Ｄを変形する如く構成した。
【００１４】
第２の手段として、前記第１の手段に於いて、前記操作体Ｅを三箇所以上の多段階位置で係止可能に構成した。
【００１５】
第３の手段として、前記第１の手段又は第２の手段に於いて、前記操作体Ｅが、上下垂直方向に移動する如く構成した。
【００１６】
第４の手段として、胴部２より縮径した口頸部４を起立した容器体Ａと、口頸部４を閉塞して一端部を突出した状態で容器体Ａに装着した収納液を浸透移送する棒体Ｂと、容器体Ａを倒立状態で支持する台座Ｃと、中央の基部D1からその周囲に螺旋状の枝部D2を延設するとともに、棒体Ｂ端面に当接した状態で容器体Ａ下方に基部D1を固定した板状の揮散体Ｄと、枝部D2の末端部に固定して上方への引き上げ及び係止が可能に支持した操作体Ｅとを備え、操作体Ｅの引き上げ係止により揮散体Ｄが変形する如く構成した。
【００１７】
第５の手段として、前記第４の手段に於いて、前記台座Ｃが、容器体胴部２に上端を嵌着固定した周壁11を皿状の底板10周縁部より立設するとともに、周壁11に揮散窓16を備え、且つ、周壁11に案内溝13を縦設してなり、前記底板10と棒体Ｂとの間に基部D1を挟持固定して揮散体Ｄを装着するとともに、案内溝13に抜け出しを防止して引き上げ可能に、且つ、複数位置での係止が可能に前記操作体Ｅを装着した。
【００１８】
第６の手段として、胴部２より縮径した口頸部４を起立した容器体Ａと、口頸部４を閉塞して一端部を突出した状態で容器体Ａに装着した収納液を浸透移送する棒体Ｂと、中央の基部D1からその周囲に螺旋状の枝部D2を延設するとともに、棒体Ｂ端面に当接した状態で容器体Ａ上方に基部D1を固定した板状の揮散体Ｄと、揮散体Ｄの枝部D2の末端部に一端部を固定して下方への引き下げ及び係止が可能に支持した操作体Ｅとを備え、操作体Ｅの引き下げ係止により揮散体Ｄが変形する如く構成した。
【００１９】
第７の手段として、前記第６の手段に於いて、容器体Ａの胴部２に下端を嵌着固定した周壁30上に頂壁32を延設するとともに、周壁30に案内溝13を縦設し、且つ、揮散窓16を備えたカバーキャップＦを設け、前記頂壁32と前記棒体Ｂとの間に基部D1を挟持固定して揮散体Ｄを装着するとともに、案内溝13に抜け出しを防止して上下動可能に、且つ、複数位置での係止が可能に前記操作体Ｅを装着した。
【発明の効果】
【００２０】
本発明の揮散用容器は、揮散体Ｃの表面積を増大する如く揮散体Ｃを変形することができるため、簡単な操作により揮散量を変更することができ、効率の良い液の揮散を行える。また、揮散量の調整の際には操作体Ｅを移動して係止するという簡単な操作により行える。揮散体Ｄは、中央の基部D1からその周囲に螺旋状の枝部D2を延設した板状をなすため、枝部D2の幅を調整することによって同じ体積の揮散体Ｄでも非常に大きな表面積を現出することができ、その結果、最小揮散量と最大揮散量の差をより大きなものとすることが可能である。
【００２１】
従って、操作体Ｅを三箇所以上の多段開位置で係止可能に構成すれば、多様な揮散量を提供できる。
【００２２】
また、揮散体Ｄは上記構成のため、操作体Ｅを上下垂直方向に移動する如く構成すれば、例えば、台座Ｃの周壁11に案内溝13を縦設して、該案内溝に抜け出しを防止して引き上げ可能に操作体Ｅを装着すれば、或いは、カバーキャップＦの周壁30に案内溝13を縦設し、該案内溝に抜け出しを防止して上下動可能に操作体Ｅを装着すれば、揮散体Ｄは無理なく逆山形状或いは山形状に変形する。
【００２３】
また、容器体を台座Ｃにより倒立状態で支持した場合には、棒体Ｂは短くて済み、また、液は最後まで残らず使用できる。
【００２４】
また、容器体Ａが、胴部２より縮径した口頸部４を起立した形態のものを用いているため、固定される揮散体Ｄの枝部D2を口頸部４の周囲に変形させることができ、変形した枝部D2が邪魔になることがなく、コンパクトに形成できる。
【発明を実施するための最良の形態】
【００２５】
以下、本発明の実施例の形態を図面を参照して説明する。
【００２６】
図１及び図２は本発明揮散用容器の一例を示し、該揮散用容器１は、容器体Ａと、棒体Ｂと、台座Ｃと、揮散体Ｄと、操作体Ｅとを備えている。
【００２７】
容器体Ａは、筒状胴部２の上端に肩部３を介して縮径した口頸部４を起立したボトルタイプのもので、ブロー成形等により形成されている。また、口頸部４外周には螺条５を周設している。更に胴部２の外周上端部には台座Ｃを係合するための凹溝７を周設している。また、口頸部４には注出口部材８を嵌着している。注出口部材８は口頸部４内周に密嵌させたシール筒8aを頂板8b裏面より垂設するとともに、頂板8b中央に下端を開口して筒部8cを立設している。
【００２８】
棒体Ｂは、合成樹脂製の繊維束で形成されており、上端部を注出口部材８の筒部8cに嵌着固定してその上方に僅かに突出し、下端は口頸部４内に突出させている。
【００２９】
台座Ｃは、皿状の底板10の隆起した周縁部上面より周壁11を立設した形態をなし、周壁11の内周上端部より突設した係合突条12を前記凹溝７に嵌着して、容器体Ａを倒立状態で起立維持している。この際底板10と棒体Ｂの端面とは揮散体Ｄを挟持するための必要な隙間をあけている。周壁11には案内溝13が設けられており、案内溝13の両側にはそれぞれ等間隔に三箇所の係合凹部14が凹設されている。この案内溝13は周壁11に設けた縦長の開口部両側より内方へ側壁15を突設して構成している。更に、周壁11には揮散窓16を設けている。揮散窓16は周方向多数設けた縦長矩形状をなしている。
【００３０】
揮散体Ｄは、図３に示す如く、中央の基部D1からその周囲に螺旋状の枝部D2を延設する板状をなしている。そして、台座Ｃの底板10の中央上面に凹設した凹部17に基部D1を嵌合してその上面を棒体Ｂ端面に当接し、底板の棒体Ｂとで基部D1を挟持固定している。
【００３１】
操作体Ｅは、揮散体Ｄの枝部D2の末端部に嵌着固定させる断面コ字状で、先端部上下内面よりそれぞれ係合凸状20を突設した固定部E1と、固定部E1の後面より延設した一対の平行する板状をなし、両側にそれぞれ係合突起21を突設した連結部E2と、連結部E2の後端を前面中央部に連結した板状の指掛け部E3とで構成している。そして、連結部E2を前記案内溝13に嵌合させるととにも、先端の固定部E1に揮散体Ｄの枝部D2の末端部を嵌着固定し、指掛け部E3を周壁11外方へ突出した状態で装着している。固定部E1の横幅は案内溝13の横幅より広く、縦幅は狭く構成しており、９０°回動した状態で外方から案内溝13に固定部E1を通過させた後、９０°回動して案内溝13に操作体Ｅを装着する。この操作体Ｅを嵌着した揮散体Ｄの嵌着状態では、図２に示す如く、底板10が皿状をなす関係で、揮散体Ｄがやや逆山形に変形した状態で装着されている。
【００３２】
上記の如き揮散用容器１を使用する場合には、まず、図５の状態の保管状態の容器体Ａから台座Ｃ及びキャップＧを外した後、揮散体Ｄ及び操作体Ｅを台座Ｃに取り付け、次いで、それらを容器体Ａに取り付けて図２の状態とする。この状態で容器体Ａ内の揮散液は棒体Ｂを下降して揮散体Ｄに移送され、揮散窓16から揮散される。また、必要に応じて操作体Ｅを引き上げてその係合突起21を案内溝13の第２番目の係合凹部14に係合させれば、揮散体Ｄは更に勾配の大きい下向き山型の形態に変形して表面積を増大し、揮散量が増加する。
【００３３】
図６は他の例を示し、図１の例に於いて、案内溝13を螺旋の一部をなす曲線状に形成した例である。この場合の操作体Ｅの連結部E2は円筒状をなしている。他の構成は図１の例と同様である。
【００３４】
図７は更に他の例を示し、本例に於ける揮散用容器１は、容器体Ａと、棒体Ｂと、カバーキャップＦと、揮散体Ｄと、操作体Ｅとを備えている。
【００３５】
容器体Ａは、正立可能に構成している以外図１の例と実質的に同様形態のもので、筒状胴部２の上端より肩部３を介して口頸部４を起立したボトル形態をなし、口頸部４外周には螺条５を周設している。また、胴部２の外周上端縁にはカバーキャップＦを係合するための凹溝７を周設している。更に、口頸部４には図１の例と同様形態の注出口部材８を嵌着している。
【００３６】
棒体Ｂは合成樹脂製の繊維束で形成されており、上端部を注出口部材８の筒部8cに嵌着固定してその上方に僅かに突出し、下端を容器体Ａ内底部に垂下させている。
【００３７】
カバーキャップＦは、周壁30の内周下端部より突設した係合突条31を前記凹溝７に係合して容器体Ａに装着しており、周壁30の上端より棒体Ｂの端面と必要な隙間をあけた頂壁32を延設している。周壁30及び頂壁32には多数の揮散窓16を穿設している。また、図１の例と同様形態の案内溝13を備えている。
【００３８】
揮散体Ｄ及び操作体Ｅは図１の例と同様のものを使用しており、揮散体Ｄは、基部D1の下面を棒体Ｂ上面に、基部D1の上面をカバーキャップＦの頂壁32下面に当接して水平状態で維持している。また、操作体Ｅは、案内溝13の上部に押し下げ可能に装着している。
【００３９】
上記の如き揮散用容器１を使用する場合には、まず、図８の保管状態の容器体ＡからキャップＧを外した後、揮散体Ｄ及び操作体Ｅを備えたカバーキャップＦを取り付けて図７の状態とする。この状態で容器体Ａ内の揮散液は棒体Ｂ内を上昇して揮散体Ｄに移送され、揮散される。また、必要に応じて操作体Ｅを押し下げて係合突起21を一番下の係合凹部14に係合させれば、揮散体Ｄは図７の二点鎖線で示す山型の形態に変形して表面積を増大し、揮散量が増加する。
【図面の簡単な説明】
【００４０】
【図１】本発明揮散用容器の分解斜視図である。（実施例１）
【図２】本発明揮散用容器の縦断面図である。（実施例１）
【図３】本発明揮散用容器に於ける揮散体の平面図である。（実施例１）
【図４】本発明揮散用容器に於ける変形した揮散体の斜視図である。（実施例１）
【図５】本発明揮散用容器に於ける交換用の容器体の縦断面図である。（実施例１）
【図６】本発明揮散用容器の分解斜視図である。（実施例２）
【図７】本発明揮散用容器の縦断面図である。（実施例３）
【図８】本発明揮散用容器に於ける交換用の容器体の縦断面図である。（実施例３）
【符号の説明】
【００４１】
２…容器体胴部，４…容器体口頸部，10…台座底板，11…台座周壁，13…案内溝，
30…カバーキャップ周壁，32…カバーキャップ頂壁，Ａ…容器体，Ｂ…棒体，
Ｃ…台座，Ｄ…揮散体，D1…基部，D2…枝部，Ｅ…操作体，E1…固定部，
E2…連結部，E3…指掛け部，Ｆ…カバーキャップ
【図１】
0004640809.tif 000002
【図２】
0004640809.tif 000003
【図３】
0004640809.tif 000004
【図４】
0004640809.tif 000005
【図５】
0004640809.tif 000006
【図６】
0004640809.tif 000007
【図７】
0004640809.tif 000008
【図８】
0004640809.tif 000009